(57)【要約】【課題】洗濯物のねじれを解消し、洗浄性能を向上する洗濯機を提供すること。【解決手段】パルセータ１８の上面に放射状に突設された複数の水流形成リブ２８と、隣接する水流形成リブの間に放射状に突設された補助リブ２９と、モータ２０、給水弁４１等を制御し、洗い、すすぎ、脱水の一連の行程を逐次制御する制御手段とを備え、パルセータ１８は、補助リブ２９を外周側に形成し、補助リブ２９の内周側に回転水流ローラ設置部３０を形成して、回転水流ローラ設置部３０に、上面に放射状の複数のローラリブ４２を突設した回転水流ローラ３１を回転自在に装着することにより、パルセータ１８の外周部から発生する水流と中央部から発生する水流により、洗濯物を攪拌してねじれを防ぐことで、洗浄性能を向上することができ、かつ、構成面でも安価で信頼性の高いパルセータ１８とすることができる。【選択図】図２
2015223318.tif 000002
【特許請求の範囲】
【請求項１】
中央底部にパルセータを回転自在に配した洗濯兼脱水槽と、本体内部に防振支持され、前記洗濯兼脱水槽を回転自在に内包する水槽と、前記パルセータや前記洗濯兼脱水槽を回転駆動するモータとを備え、前記パルセータは、前記パルセータの上面に放射状に突設された複数の水流形成リブと、隣接する前記水流形成リブの間に放射状に突設された補助リブとを設け、前記補助リブの内周側に回転水流ローラを回転自在に装着した洗濯機。
【請求項２】
回転水流ローラの上面に放射状に複数のローラリブを突設した請求項１記載の洗濯機。
【発明の詳細な説明】
【技術分野】
【０００１】
本発明は、洗濯兼脱水槽の内底部に設けたパルセータにて洗濯物を洗う洗濯機に関するものである。
【背景技術】
【０００２】
従来、この種の洗濯機は、パルセータの形状により回転水流を発生させて、洗濯物を効率的に洗う構成が提案されている（例えば、特許文献１参照）。
図８は、特許文献１に記載された従来の洗濯機のパルセータの平面図、図９は、同洗濯機のパルセータの縦断面図である。
【０００３】
図８、図９において、パルセータ１２０の上面中央部に、洗濯時に洗濯水を上下流動させるためにカム組立体１２１が上下移動可能に設置されている。そして、カム組立体１２１の外周部には、パルセータ１２０の上面の中央部から外周部に複数の水流形成リブ１２２が放射状に突設されており、この水流形成リブ１２２間にはそれぞれ補助リブ１２４が一つずつ放射状に突設されている。
【０００４】
補助リブ１２４の末端部の外側のパルセータ１２０の上面には、回転軸設置孔１３６が形成され、この回転軸設置孔１３６にはそれぞれ回転水流ローラ１３０が洗濯水流との摩擦により回転されるように軸設されている。
【０００５】
以上の構成のパルセータにより、水平水流、上下水流を発生させ、洗濯物を洗濯兼脱水槽内で回転させて洗濯工程を行う。
【先行技術文献】
【特許文献】
【０００６】
【特許文献１】特開平８−３０９０７３号公報
【発明の概要】
【発明が解決しようとする課題】
【０００７】
しかしながら、前記従来の構成では，回転水流ローラは、補助リブの末端部の外側、つまりパルセータ外周部近傍に形成されているため、パルセータの回転による遠心力が強く働き、回転ローラの回転も早くなる。これにより、パルセータの上面外周上には強い上昇水流が形成されるが、上面中央部には水流が形成されず、このために、中央部で洗濯物がねじれ、水に接触する洗濯物の表面積が減ることで洗浄性能が低下するという課題があった。
【０００８】
本発明は、前記従来の課題を解決するもので、洗浄性能を向上させる洗濯機を提供することを目的とする。
【課題を解決するための手段】
【０００９】
前記従来の課題を解決するために、本発明の洗濯機は、中央底部にパルセータを回転自在に配した洗濯兼脱水槽と、本体内部に防振支持され、前記洗濯兼脱水槽を回転自在に内包する水槽と、前記パルセータや前記洗濯兼脱水槽を回転駆動するモータとを備え、前記パルセータは、前記パルセータの上面に放射状に突設された複数の水流形成リブと、隣接する前記水流形成リブの間に放射状に突設された補助リブとを設け、前記補助リブの内周側に回転水流ローラを回転自在に装着したものである。
【００１０】
これにより、パルセータの外周部から発生する水流と中央部から発生する水流により、洗濯物を攪拌してねじれを防ぐことで、洗浄性能を向上することができ、構成面でも安価で信頼性の高いパルセータとすることができる。
【発明の効果】
【００１１】
本発明の洗濯機は、洗浄性能を向上することができ、構成面でも安価で信頼性の高いパルセータとすることができる。
【図面の簡単な説明】
【００１２】
【図１】本発明の実施の形態における洗濯機の縦断面図
【図２】同洗濯機のパルセータの平面図
【図３】同洗濯機のパルセータの縦断面図
【図４】同洗濯機のパルセータの回転水流ローラ取付け前の平面図
【図５】同洗濯機のパルセータの回転水流ローラ取付け前の縦断面図
【図６】（ａ）同洗濯機の回転水流ローラの拡大平面図、（ｂ）同回転水流ローラの拡大縦断面図
【図７】同洗濯機のパルセータ回転時の水流を説明する図
【図８】従来の洗濯機のパルセータの平面図
【図９】同洗濯機のパルセータの縦断面図
【発明を実施するための形態】
【００１３】
第１の発明は、中央底部にパルセータを回転自在に配した洗濯兼脱水槽と、本体内部に防振支持され、前記洗濯兼脱水槽を回転自在に内包する水槽と、前記パルセータや前記洗濯兼脱水槽を回転駆動するモータとを備え、前記パルセータは、前記パルセータの上面に放射状に突設された複数の水流形成リブと、隣接する前記水流形成リブの間に放射状に突設された補助リブとを設け、前記補助リブの内周側に回転水流ローラを回転自在に装着したものである。
【００１４】
これにより、パルセータの外周部から発生する水流と中央部から発生する水流により、洗濯物を攪拌してねじれを防ぐことで、洗浄性能を向上することができ、かつ、構成面でも安価で信頼性の高いパルセータとすることができる。
【００１５】
第２の発明は、第１の発明において、回転水流ローラの上面に放射状に複数のローラリブを突設したものである。
【００１６】
以下、本発明の実施の形態について、図面を参照しながら説明する。また、この実施の形態によって本発明が限定されるものではない。
【００１７】
（実施の形態１）
図１は，本発明の実施の形態における洗濯機の縦断面図を示すものである。
【００１８】
図１において、本体１１は、複数のサスペンション１２により水槽１３をその内部に懸垂防振支持している。洗濯・脱水軸１４は中空で２軸構造としている。洗濯兼脱水槽１５は側壁に多数の脱水孔（図示せず）を有するとともに、内周の上部に振動低減用の流体バランサ１７を有し、中央内底部には衣類攪拌用のパルセータ１８が配設されている。
【００１９】
伝達機構部１９は、内部に洗濯時の減速ギア（図示せず）および洗濯・脱水軸１４の切り換えクラッチ（図示せず）と、脱水時に洗濯兼脱水槽１５を停止するためのブレーキ（図示せず）を内蔵している。
【００２０】
モータ２０は、水槽１３の外底部に取り付けられ、その動力を洗濯・脱水軸１４に伝達し、パルセータ１８、及び洗濯兼脱水槽１５を回転させる。
【００２１】
本体１１の上部には上部枠体２４を配し、上部枠体２４の略中央部には、洗濯兼脱水槽１５と外部とを連通するための洗濯物投入取出口２５を形成し、洗濯物投入取出口２５は蓋体２６にて開閉自在に覆われている。
【００２２】
上部枠体２４の前部には、各種の入力設定を行ない、設定内容を表示する操作表示部４３を配設している。操作表示部４３の内方には、モータ２０等を制御し、洗い、すすぎ、脱水の一連の行程を逐次制御する制御手段（図示せず）を有する制御装置２７を配し、後方側の内部には、電磁力により開閉可能な給水弁４１を配設している。
【００２３】
図２は、本発明の実施の形態における洗濯機のパルセータの平面図、図３は、同パルセータの縦断面図、図４は、同パルセータの回転水流ローラ取付け前の平面図、図５は、同パルセータの回転水流ローラ取付け前の縦断面図、図６（ａ）は、同パルセータの回転水流ローラの拡大平面図、（ｂ）は同回転水流ローラの拡大縦断面図である。
【００２４】
図２、図３、図４、図５、図６（ａ）、（ｂ）において、パルセータ１８は、上面中央部から外周部に向かって放射状に複数の水流形成リブ２８を突設している。水流形成リブ２８の間の外周側には、放射状に、また水流形成リブ２８よりも高さが低く、かつ、その長さが水流形成リブ２８より短い補助リブ２９を突設している。補助リブ２９の端部内周側となるパルセータ１８の中央部近傍には、回転水流ローラ設置部３０を設けている。
【００２５】
回転水流ローラ設置部３０には、中央部に設置孔４０が、外周部に複数の突起形状３４が形成され、裏面には設置孔４０縁部に円筒リブ３３が立設されている。
【００２６】
回転水流ローラ設置部３０には、上面に放射状に複数のローラリブ４２を突設した回転水流ローラ３１が回転自在に設けられている。回転水流ローラ３１は、裏面に設けられた係合爪３２を回転水流ローラ設置部３０の円筒リブ３３に係合することにより回転水流ローラ設置部３０に装着している。回転水流ローラ設置部３０の表面側の複数の突起形状３４は、回転水流ローラ３１の下面との摩擦を低減して回転させるためのものである。回転水流ローラ３１は、装着状態で、高さが補助リブ２９よりも低く構成している。
【００２７】
以上のように構成した洗濯機について、以下に、その動作、作用を説明する。
【００２８】
図７は、本発明の実施の形態における洗濯機のパルセータ回転時の水流図である。
【００２９】
使用者が、洗濯兼脱水槽１５に洗濯物と洗剤を投入した後、操作表示部４３にて運転コースを選択し、スタートスイッチ(図示せず)をＯＮすると、制御手段は、給水弁４１を開き、洗濯兼脱水槽１５に給水を行なう。所定の水位まで給水すると、給水を停止し、モータ２０を回転して、動力を洗濯・脱水軸１４を経由して、パルセータ１８に伝達し、洗い行程が始まる。
【００３０】
パルセータ１８が正、逆回転すると、パルセータ１８上面部に設けた水流形成リブ２８により強い水流３５が発生する。水流３５は、洗濯兼脱水槽１５の内壁面に沿って上昇し、洗濯物は、パルセータ１８の回転に伴って円周方向に回転しながら、内壁面側の上昇水流３５に乗って上昇した後、パルセータ１８の中央部に流動される。
【００３１】
この際、パルセータ１８中央部近傍に設けた回転水流ローラ３１は、パルセータ１８の回転とともに公転しながら自転する。回転水流ローラ３１の上面に設けたローラリブ４２
により、パルセータ１８中央部で上昇水流３６が発生し、水流形成リブ２８によってパルセータ１８中央部に流動しようとする力を低減する。
【００３２】
すなわち、水流形成リブ２８での上昇水流３５の生成後に落下する洗濯物のねじれを、回転水流ローラ３１の回転による上昇水流３６の生成により解消するとともに、ねじれを解消することにより、水流に接触する洗濯物の表面積を増加させ、これにより洗浄性能を向上させることができる。
【００３３】
以上のように、本実施の形態においては、パルセータ１８は、補助リブ２９を外周側に形成し、補助リブ２９の内周側に回転水流ローラ設置部３０を形成して、回転水流ローラ設置部３０に、上面に放射状の複数のローラリブ４２を突設した回転水流ローラ３１を回転自在に装着している。これにより、パルセータ１８の外周部から発生する水流と中央部から発生する水流により、洗濯物を攪拌してねじれを防ぐことができ、洗浄性能を向上することができ、構成面でも安価で信頼性の高い洗濯機とすることができる。
【産業上の利用可能性】
【００３４】
以上のように、本発明にかかる洗濯機は、簡単なパルセータの構成で、洗濯物のねじれを解消し、洗浄性能を向上することができるので、パルセータを有する他の洗濯機の用途に適用できる。
【符号の説明】
【００３５】
１１  本体
１３  水槽
１５  洗濯兼脱水槽
１８  パルセータ
２０  モータ
２４  上部枠体
２８  水流形成リブ
２９  補助リブ
３０  回転水流ローラ設置部
３１  回転水流ローラ
４１  給水弁
４２  ローラリブ
【図１】
2015223318.tif 000003
【図２】
2015223318.tif 000004
【図３】
2015223318.tif 000005
【図４】
2015223318.tif 000006
【図５】
2015223318.tif 000007
【図６】
2015223318.tif 000008
【図７】
2015223318.tif 000009
【図８】
2015223318.tif 000010
【図９】
2015223318.tif 000011